(57)【特許請求の範囲】
【請求項１】
下記（ａ）成分、（ｂ）成分、（ｃ）成分及び（ｄ）成分を含有するアレルゲン除去剤。
（ａ）成分：水と共沸混合物を形成し、１０１３．２５ｈＰａにおける水との共沸温度が１００℃未満になる有機化合物
（ｂ）成分：水
（ｃ）成分：（ａ）成分及び（ｂ）成分の少なくとも一方に溶解し、該アレルゲン除去剤中の液体成分の蒸発により固体を生成させる固体源物質
（ｄ）ジャスモノイド、鎖状セスキテルペンアルコール及び鎖状ジテルペンアルコールから選ばれる１種以上の化合物を０．００１〜５質量％
【請求項２】
（ａ）成分がエタノール、１−プロパノール及び２−プロパノールから選ばれる１種以上である請求項１記載のアレルゲン除去剤。
【請求項３】
（ｃ）成分が下記（ｃ１）成分及び（ｃ２）成分から選ばれる１種以上の化合物である請求項１又は２記載のアレルゲン除去剤。
（ｃ１）成分：１０１３．２５ｈＰａ、２５℃で固体状態である有機化合物
（ｃ２）成分：無機性陽イオンと無機性陰イオンの組合せ
【請求項４】
（ｃ）成分が下記（ｃ１）成分及び（ｃ２）成分から選ばれる１種以上の化合物であり、（ｃ１）成分が下記の（ｃ１−１）成分、（ｃ１−２）成分及び（ｃ１−３）成分から選ばれる一種以上である請求項１又は２記載のアレルゲン除去剤。
（ｃ１）成分：１０１３．２５ｈＰａ、２５℃で固体状態である有機化合物
（ｃ１−１）成分：融点が２５℃以上の有機化合物〔但し（ｃ１−２）及び（ｃ１−３）を除く〕
（ｃ１−２）成分：含水率が５質量％以下で固体状態である界面活性剤
（ｃ１−３）成分：クエン酸、コハク酸、酒石酸、リンゴ酸、フマル酸、マロン酸、マレイン酸、アジピン酸、乳酸、フタル酸、テレフタル酸、アスパラギン酸、アゼライン酸、グルタミン酸、グルタル酸、蓚酸、グリシン及びこれらのアルカリ金属塩もしくはアルカリ土類金属塩
（ｃ２）成分：無機性陽イオンと無機性陰イオンの組合せ
【請求項５】
（ｃ）成分が下記（ｃ１）成分及び（ｃ２）成分から選ばれる１種以上の化合物であり、（ｃ２）成分の無機性陽イオンが、アルカリ金属イオン及びアルカリ土類金属イオンから選ばれる１種以上であり、無機性陰イオンが、硫酸イオン、炭酸イオン及びリン酸イオンから選ばれる１種以上である請求項１又は２記載のアレルゲン除去剤。
（ｃ１）成分：１０１３．２５ｈＰａ、２５℃で固体状態である有機化合物
（ｃ２）成分：無機性陽イオンと無機性陰イオンの組合せ
【請求項６】
（ｃ）成分が下記（ｃ１）成分及び（ｃ２）成分から選ばれる１種以上の化合物であり、（ｃ１）成分が下記の（ｃ１−１）成分、（ｃ１−２）成分及び（ｃ１−３）成分から選ばれる一種以上であり、（ｃ２）成分の無機性陽イオンが、アルカリ金属イオン及びアルカリ土類金属イオンから選ばれる１種以上であり、無機性陰イオンが、硫酸イオン、炭酸イオン及びリン酸イオンから選ばれる１種以上である請求項１又は２記載のアレルゲン除去剤。
（ｃ１）成分：１０１３．２５ｈＰａ、２５℃で固体状態である有機化合物
（ｃ１−１）成分：融点が２５℃以上の有機化合物〔但し（ｃ１−２）及び（ｃ１−３）を除く〕
（ｃ１−２）成分：含水率が５質量％以下で固体状態である界面活性剤
（ｃ１−３）成分：クエン酸、コハク酸、酒石酸、リンゴ酸、フマル酸、マロン酸、マレイン酸、アジピン酸、乳酸、フタル酸、テレフタル酸、アスパラギン酸、アゼライン酸、グルタミン酸、グルタル酸、蓚酸、グリシン及びこれらのアルカリ金属塩もしくはアルカリ土類金属塩
（ｃ２）成分：無機性陽イオンと無機性陰イオンの組合せ
【請求項７】
（ａ）成分を１〜７０質量％及び（ｃ）成分を０．００５〜５質量％含有する請求項１〜６の何れか１項記載のアレルゲン除去剤。
【請求項８】
（ａ）成分、（ｂ）成分、（ｃ）成分及び（ｄ）成分の合計が９５〜１００質量％である請求項１〜７の何れか１項記載のアレルゲン除去剤。
【請求項９】
下記（ａ）成分、（ｂ）成分、（ｃ１）成分及び（ｄ）成分を含有し、（ａ）成分、（ｃ１）成分及び（ｄ）成分以外の有機化合物の含有量が１質量％未満であり、且つ（ｃ１）成分／[（ａ）成分以外の全有機化合物]が質量比で０．２以上１未満であるアレルゲン除去剤。
（ａ）成分：水と共沸混合物を形成し、１０１３．２５ｈＰａにおける水との共沸温度が１００℃未満になる有機化合物を１〜７０質量％
（ｂ）成分：水
（ｃ１）成分：下記（ｃ１−１）成分、（ｃ１−２）成分及び（ｃ１−３）成分から選ばれる１種以上の有機化合物を０．０１〜５質量％
（ｃ１−１）成分：融点が２５℃以上の有機化合物〔但し（ｃ１−２）及び（ｃ１−３）を除く〕
（ｃ１−２）成分：含水率５質量％以下において、２５℃で固体状態である界面活性剤
（ｃ１−３）成分：クエン酸、コハク酸、酒石酸、リンゴ酸、フマル酸、マロン酸、マレイン酸、アジピン酸、乳酸、フタル酸、テレフタル酸、アスパラギン酸、アゼライン酸、グルタミン酸、グルタル酸、蓚酸、グリシン及びこれらのアルカリ金属塩もしくはアルカリ土類金属塩
（ｄ）成分：ジャスモノイド、鎖状セスキテルペンアルコール及び鎖状ジテルペンアルコールから選ばれる１種以上の化合物を０．００１〜５質量％
【請求項１０】
被処理物から、析出した固体と共にアレルゲンを除去するアレルゲンの除去方法に供される請求項１〜９の何れか１項記載のアレルゲン除去剤。
【請求項１１】
水と共沸混合物を形成し、１０１３．２５ｈＰａにおける水との共沸温度が１００℃未満になる有機化合物〔以下、（ａ）成分という〕と、水〔以下、（ｂ）成分という〕と、（ａ）成分及び（ｂ）成分の少なくとも一方に溶解し、該アレルゲン除去剤中の液体成分の蒸発により固体を生成させる固体源物質と、ジャスモノイド、鎖状セスキテルペンアルコール及び鎖状ジテルペンアルコールから選ばれる１種以上の化合物を含有するアレルゲン除去剤をアレルゲンが存在する被処理物に接触させること、該接触部分に前記アレルゲン除去剤に由来する固体を析出させること及び、該固体と共にアレルゲンを被処理物から除去すること、を含むアレルゲンの除去方法。
【請求項１２】
下記（ａ）成分、（ｂ）成分、（ｃ）成分及び（ｄ）成分を含有する、ダニ、ユスリカ、ゴキブリ及びこれらの死骸もしくはこれらの糞が塵化したもの、ペットの体毛の破断物、花粉、並びに、カビの胞子から選ばれる少なくとも一種を除去するための剤。
（ａ）成分：水と共沸混合物を形成し、１０１３．２５ｈＰａにおける水との共沸温度が１００℃未満になる有機化合物
（ｂ）成分：水
（ｃ）成分：（ａ）成分及び（ｂ）成分の少なくとも一方に溶解し、該剤中の液体成分の蒸発により固体を生成させる固体源物質
（ｄ）成分：ジャスモノイド、鎖状セスキテルペンアルコール及び鎖状ジテルペンアルコールから選ばれる１種以上の化合物を０．００１〜５質量％
【発明の詳細な説明】
【０００１】
【発明の属する技術分野】
本発明は、通常の清掃では除去することが難しいアレルゲンを効果的に除去するための剤及びその方法に関するものであり、特には、ダニの死骸や糞、カビの胞子、花粉などのアレルギーの抗原となる物質であるアレルゲンを効率良く除去することを可能とするための剤及び方法に関する。
【０００２】
【従来の技術及び発明が解決しようとする課題】
ダニ、ユスリカ、ゴキブリ及びこれらの死骸もしくはこれらの糞が塵化したもの、ペットの体毛の破断物、花粉、並びに、カビの胞子は、これらを抗原としたアレルギー症状を引き起こすと考えられており、いわゆるアレルゲンによる人体への影響は社会的な問題になっている。特にダニ類に関しては、室内環境の快適化と引き換えにその繁殖が助長され、喘息、アトピー性皮膚炎あるいはアレルギー性鼻炎などのアレルギー疾患の原因物質の存在が顕在化している。特に、ヤケヒョウヒダニ、ケナガコナダニあるいはコナヒョウヒダニなどのダニ類は、畳、絨毯などの敷物類や毛布、布団などの寝具などに生息し増殖しており、このようなダニ類の駆除はアレルギー疾患を持つ人たちばかりでなく、一般の家庭においても高い関心が持たれている。抗ダニ剤や殺ダニ剤に関しては多くの技術が提案されている。例えば、特開平９−１５７１１６号公報には、抗ダニ成分としてフェニルイソチオシアネートを含有し、フェニルイソチオシアネートの刺激臭緩和成分としてセスキテルペン化合物、脂環式化合物又は芳香系化合物から選ばれる香料を含有させた抗ダニ剤が記載されている。しかしながら、その死骸や糞などもアレルゲンになることが知られており、これらアレルゲンの無害化が検討されている。
【０００３】
特開平６−２７９２７３号公報には没食子酸やその低級アルコールエステル等の特定の化合物を用いたアレルゲンの除去方法が開示されている。特開昭６１−４４８２１号公報にはタンニン酸と特定の溶剤を含有したアレルゲンの除去剤が開示されている。また、特開２０００−６３２０７号公報には特定の溶剤がアレルゲンの無害化に有効であることが開示されている。
【０００４】
その他アレルゲン除去に関する技術として、特開２０００−２６４８３７号公報には、有機溶剤、タンニン酸などのポリフェノール類、ヒドロキシアパタイト、カチオン系界面活性剤から選ばれる一種以上を用いる化合物を含有するアレルゲン除去剤を微小粒子にして空間に放出し、該放出粒子によってアレルゲンを除去する剤と方法が記載されており、さらには該剤を液体、粉体、シート状、ハニカム状の担持体で保持収納する容器内に物理的吸引によってアレルゲンを含有する空気を通過させてトラップするアレルゲン除去方法が記載されている。同様に特開２００２−１２８６５９号公報には、アレルゲンを不活性化又は除去するハウスダスト処理剤を含有する溶液または分散液を特定噴霧粒子径でスプレーする方法が記載されている。
【０００５】
しかしながら、これらの従来のアレルゲン除去方法ないし除去剤なるものは、タンパク質を変性させアレルギー発症の要因となるＩｇＥ抗体との結合能力を低下させ無害化させることを“除去”と称しているものであり、アレルゲン変性剤と称する方が正しいものである。前記公報には、アレルゲンをタルクや水膨潤性粘土等の粒子などの微粒子に吸着させたり、ポリビニルアルコールなどの高分子化合物で被覆させる方法も記載されているが、捕集しない限り、いずれの方法においても、処理後もアレルゲン又はその前駆物質は依然として残存しているため、十分にアレルゲンの影響を排除するものではない。またこれらの技術により変性されたアレルゲンに繰り返し暴露されると変性されたアレルゲンそのものが新たなアレルゲン物質となり、アレルギー発症の要因となり得る。また前記公報には、捕集に関する技術も提案されているが、空間のアレルゲンをトラップすることを目的とするものであり、処理表面からの剥離性を考慮するものではない。
【０００６】
一方、ダニや、ダニの糞、花粉、カビの胞子などの生物に由来するアレルゲンは、掃除機などの掃除道具を用いて丁寧に清掃することが有効であることが知られているが、畳、絨毯などの敷物類や毛布、布団などの寝具にはこれらの奥底にまでアレルゲン物質が存在するため容易には除去することができない。例えば床の掃除には１ｍ2当たり２０秒以上掃除機をかけることや、寝具類においても１週間に１回は丁寧に掃除機をかけるなどの方法がダニアレルゲンを室内環境から効率よく除去するための方法として推奨されているが、日常的に行っていくことは非常に困難を伴うものである。このため、簡単な清掃操作でアレルゲンを効率よく除去する方法が求められている。
【０００７】
ところで、ダニが生息するカーペット用洗浄剤として、洗浄液を含浸させた粉末をカーペットに散布した後、ブラシを用いて粉末とカーペットを擦りつけた後、掃除機で粉末を吸引することでカーペットを洗浄する方法が知られている。また、その他のカーペット用洗浄剤としては、特開昭５３−１３０７０４号公報には、ラウリルアルコール８０〜９５部、デシルアルコール５〜２０部を配合して得られる混合アルコールの硫酸エステルのリチウム塩とビルダーとしてＰ２Ｏ５を７０〜８５％含有するポリリン酸のリチウム塩よりなる組成物の全固形物が１０〜４０％となる如く水を含有させた液体のカーペットシャンプー組成物の発明が記載されており、更には該カーペットシャンプーを水で稀釈したものをカーペットに噴射し、カーペット表面に広げブラッシュにより擦り洗いを行い、乾燥後粉末化した洗液残渣をバキューム除去することが記載されている。また特開昭４６−２９３４号公報には、水溶性有機界面活性剤、高級膨潤性脂肪アルコール及び水不溶性の珪酸化合物からなる絨毯等に用いる洗浄用組成物が記載されており、該組成物からなる泡を絨毯上に生成させ、泡が消失し乾燥してから真空掃除機で処理することが記載されている。また、業務用のカーペットクリーナーとして、液体洗剤をスプレーしポリッシャーでポリッシングした後、乾燥後のパウダーを吸引することでクリーニングする製品が市販されている。このように、カーペットの洗浄のために粉末又は液体を塗布し、乾燥後の粉末を掃除機などで吸引する方法は既に知られている。しかしながら、これらのカーペット洗浄は、アレルゲン除去を目的とするものではなく、カーペット汚れの除去を目的とする洗浄剤であるため、界面活性剤や粉末状の吸着体を主基材とするものである。しかしながら、アレルゲンの除去を目的とした場合、このような固体源の濃度は少量で十分な効果を得ることができることが望ましく、従来の洗浄目的のように界面活性剤濃度が高い場合は、処理表面に残りやすいという問題がある。
【０００８】
従って本発明の課題は、固体表面に付着した通常の清掃では除去しにくいダニ類等の生物やその死骸あるいは糞などのアレルゲン物質を簡単な清掃操作で効率よく除去でき、さらに、アレルゲン除去効果の持続性を有し、しかも被処理物の感触を変化させないアレルゲン除去剤及びアレルゲン除去方法を提供することにある。
【０００９】
【課題を解決するための手段】
【００１０】
すなわち、本発明は、下記（ａ）成分、（ｂ）成分、（ｃ）成分及び（ｄ）成分を含有するアレルゲン除去剤に関する。
（ａ）成分：水と共沸混合物を形成し、１０１３．２５ｈＰａにおける水との共沸温度が１００℃未満になる有機化合物
（ｂ）成分：水
（ｃ）成分：（ａ）成分及び（ｂ）成分の少なくとも一方に溶解し、該アレルゲン除去剤中の液体成分の蒸発により固体を生成させる固体源物質
（ｄ）ジャスモノイド、鎖状セスキテルペンアルコール及び鎖状ジテルペンアルコールから選ばれる１種以上の化合物を０．００１〜５質量％
【００１１】
また、本発明は、下記（ａ）成分、（ｂ）成分、（ｃ１）成分及び（ｄ）成分を含有し、（ａ）成分、（ｃ１）成分及び（ｄ）成分以外の有機化合物の含有量が１質量％未満であり、且つ（ｃ１）成分／[（ａ）成分以外の全有機化合物]が質量比で０．２以上１未満であるアレルゲン除去剤に関する。
（ａ）成分：水と共沸混合物を形成し、１０１３．２５ｈＰａにおける水との共沸温度が１００℃未満になる有機化合物を１〜７０質量％
（ｂ）成分：水
（ｃ１）成分：下記（ｃ１−１）成分、（ｃ１−２）成分及び（ｃ１−３）成分から選ばれる１種以上の有機化合物を０．０１〜５質量％
（ｃ１−１）成分：融点が２５℃以上の有機化合物〔但し（ｃ１−２）及び（ｃ１−３）を除く〕
（ｃ１−２）成分：含水率５質量％以下において、２５℃で固体状態である界面活性剤
（ｃ１−３）成分：クエン酸、コハク酸、酒石酸、リンゴ酸、フマル酸、マロン酸、マレイン酸、アジピン酸、乳酸、フタル酸、テレフタル酸、アスパラギン酸、アゼライン酸、グルタミン酸、グルタル酸、蓚酸、グリシン及びこれらのアルカリ金属塩もしくはアルカリ土類金属塩
（ｄ）成分：ジャスモノイド、鎖状セスキテルペンアルコール及び鎖状ジテルペンアルコールから選ばれる１種以上の化合物を０．００１〜５質量％
【００１２】
また、本発明は、水と共沸混合物を形成し、１０１３．２５ｈＰａにおける水との共沸温度が１００℃未満になる有機化合物〔以下、（ａ）成分という〕と、水〔以下、（ｂ）成分という〕と、（ａ）成分及び（ｂ）成分の少なくとも一方に溶解し、該アレルゲン除去剤中の液体成分の蒸発により固体を生成させる固体源物質〔（ｃ）成分〕と、ジャスモノイド、鎖状セスキテルペンアルコール及び鎖状ジテルペンアルコールから選ばれる１種以上の化合物〔（ｄ）成分〕を含有するアレルゲン除去剤をアレルゲンが存在する被処理物に接触させること、該接触部分に前記アレルゲン除去剤に由来する固体を析出させること及び、該固体と共にアレルゲンを被処理物から除去すること、を含むアレルゲンの除去方法に関する。
【００１３】
本発明において、アレルゲンとは、通常、広くアレルギーの原因物質を指すが、本発明では、特にダニ、ユスリカ、ゴキブリ及びこれらの死骸もしくはこれらの糞が塵化したもの、ペットの体毛の破断物、ペットの唾液中のタンパク質の乾燥物、花粉、並びに、カビの胞子を指すものとする。本発明のアレルゲン除去剤は、これらのアレルゲン中でも清掃除去が難しい１００μｍ以下のものを除去するのに効果的である。
【００１４】
また、本発明は、上記（ａ）成分、（ｂ）成分、（ｃ）及び０．００１〜５質量％の（ｄ）成分を含有する、ダニ、ユスリカ、ゴキブリ及びこれらの死骸もしくはこれらの糞が塵化したもの、ペットの体毛の破断物、花粉、並びに、カビの胞子から選ばれる少なくとも一種を除去するための剤に関する。
【００１５】
本発明において、アレルゲン除去剤とは、該剤で処理することにより、アレルゲンの対象表面からの除去を容易にするものを指す。
【発明の実施の形態】
＜（ａ）成分＞
本発明の（ａ）成分は水と共沸混合物を形成し、１０１３．２５ｈＰａ（７６０ｍｍＨｇ）における水との共沸温度が１００℃未満になる有機化合物であり、化学便覧基礎編  改訂４版  日本化学会編  丸善（株）  II−１４７頁  表８・４３に記載の水と共沸混合物を形成する化合物から共沸温度が１００℃未満、好ましくは６０〜９０℃の化合物を用いることができる。（ａ）成分を併用することにより、本発明のアレルゲン除去剤で処理された被処理物の乾燥が促進され、（ｂ）成分に由来する固体の生成が促される。（ａ）成分の好ましい具体例としてはエタノール、シクロヘキサン、２−ブタノール、シクロヘキサノール、シクロヘキサノン、シクロヘキサン、トルエン、１-ブタノール、２-ブタノール、１−プロパノール、２−プロパノール、１−ヘキサノール、ヘキサン、１−ヘプタノール、１−ペンタノール、２−ペンタノールを挙げることができ、炭素数２〜７のアルコール化合物が好ましい。特にエタノール、１−プロパノール、２−プロパノールがアレルゲン除去効果の点から最も好ましい。
【００１６】
＜（ｂ）成分＞
本発明の（ｂ）成分は水であり、（ａ）成分、（ｃ）成分、後述の（ｄ）成分及びその他成分を含有する剤の残部であるが、一部の（ｃ）成分や（ｄ）成分の溶媒でもある。水は多少の金属イオンを含んだもの（そのイオンは（ｃ）成分となってもよい）を使用してもよいが、保存安定性の上でイオン交換水を用いることが好ましい。
【００１７】
＜（ｃ）成分＞
（ｃ）成分は本発明において最も重要な成分である。（ｃ）成分は、アレルゲン除去剤中の少なくとも（ａ）成分及び／又は（ｂ）成分に溶解して存在し、該除去剤中の液体成分の蒸発により、（ｃ）成分自体又は（ｃ）成分に起因する固体を生成させる固体源物質である。すなわち、本発明のアレルゲン除去剤は、該アレルゲン除去剤中の液体成分の蒸発により固体を生成するものである。ここで、液体成分の蒸発とは、液状成分の全てが蒸発することではなく、固体の生成に十分な液状成分の蒸発量を意味する。すなわち、本発明のアレルゲン除去剤中の液状成分は主に（ａ）成分と（ｂ）成分であるが、後述の香料等、揮発性の低い液状成分を少量含む場合、それらは必ずしも蒸発する必要はない。このような性質を示す（ｃ）成分を含有することで、本発明のアレルゲン除去剤は、アレルゲンが存在する被処理物に噴霧ないし塗布等された後、当該処理部分の乾燥により固体を生成する。その際、該固体が、アレルゲンを担持して生成する、あるいはアレルゲンの被処理物の表面からの剥離を容易にする、などの理由により、清掃によるアレルゲンの除去効率を向上させるものと考えられる。
【００１８】
本発明において、（ｃ）成分は、下記（ｃ１）成分及び（ｃ２）成分から選ばれる１種以上の化合物が好ましい。
（ｃ１）成分：１０１３．２５ｈＰａ、２５℃で固体状態である有機化合物
（ｃ２）成分：無機性陽イオンと無機性陰イオンの組合せ。
【００１９】
このうち、（ｃ１）成分は、下記の（ｃ１−１）成分、（ｃ１−２）成分及び（ｃ１−３）成分から選ばれる一種以上が好ましい。
（ｃ１−１）成分：融点が２５℃以上の有機化合物〔但し（ｃ１−２）及び（ｃ１−３）を除く〕
（ｃ１−２）成分：含水率が５質量％以下で固体状態である界面活性剤
（ｃ１−３）成分：クエン酸、コハク酸、酒石酸、リンゴ酸、フマル酸、マロン酸、マレイン酸、アジピン酸、乳酸、フタル酸、テレフタル酸、アスパラギン酸、アゼライン酸、グルタミン酸、グルタル酸、蓚酸、グリシン及びこれらのアルカリ金属塩もしくはアルカリ土類金属塩
【００２０】
（ｃ１−１）成分は、夏場などの暑い季節を考慮するならば、好ましくは３５℃以上の融点を有するものが好ましい。
【００２１】
（ｃ１−１）成分は、処理後のアレルゲンが被処理物の表面から除去されやすいように吸湿性の低いものが好ましい。吸湿性については、下記の吸湿性試験により測定される吸湿度が０〜２、好ましくは０〜１、特に０〜０．５の化合物が好適である。
【００２２】
（吸湿性試験）
（ｃ１−１）成分を粉砕し、篩により５００〜１０００μｍに分級する。この分級したもの１ｇ（Ｗａ）を直径７ｃｍ、深さ１．５ｃｍの円柱状のガラス製シャーレに入れ、全体の質量を測定する（Ｗｂ）。次に湿度８０％、温度２０℃の恒温室に２４時間放置した後の全体の質量を測定し（Ｗｃ）、次式により吸湿度を求める。
吸湿度＝（Ｗｃ−Ｗｂ）／Ｗａ
【００２３】
また、（ｃ１−１）成分は水に対する溶解性に乏しいものが好ましい。具体的には、２０℃における水への溶解度が好ましくは０．０２ｇ／１００ｇ以下、より好ましくは０．０１ｇ／１００ｇ以下であるが、（ｃ１−１）成分はアレルゲン除去剤中、溶解した状態にあることが好ましく、従って、（ａ）成分への溶解度が好ましくは０．０５ｇ／１００ｇ以上、より好ましくは０．１ｇ／１００ｇ以上である。ここで溶解度は化学大辞典９（共立出版社）、３９９頁、溶解度試験に記載の方法で求めることができる。
【００２４】
（ｃ１−１）成分の具体的に好ましい化合物としては下記（ｃ１−１−１）成分、（ｃ１−１−２）成分及び（ｃ１−１−３）成分から選ばれる化合物が好適である。
（ｃ１−１−１）成分：融点が４０〜２５０℃、好ましくは６０〜２１０℃、炭素数１０〜２５、好ましくは１０〜２０の脂環式化合物
（ｃ１−１−２）成分：融点が３５℃以上、好ましくは３５〜２００℃、炭素数８〜３６、好ましくは１２〜２０の脂肪族化合物
（ｃ１−１−３）成分：融点が４０〜２００℃、炭素数７〜２４、好ましくは７〜２０の芳香族化合物
【００２５】
（ｃ１−１−１）成分の具体的に好ましい化合物としてはカンフェン、ｌ−メントール、ボルネオール、セドロール、ｔ−ブチルシクロヘキサノール、ショウノウ、ｐ−ｔ−ブチルシクロヘキサノン、マルトール、シクロペンタデカノン、ヒノキチオール、カリオフィレンオキサイド、ブッコキシム（Ｄｒａｇｏｃａ社製）、を挙げることができる。
【００２６】
（ｃ１−１−２）成分の具体的に好ましい化合物としては、ミリスチルアルコール、パルミチルアルコール、ステアリルアルコール、ｎ−テトラデシルアルデヒドを挙げることができる。
【００２７】
（ｃ１−１−３）成分の具体的に好ましい化合物としてはジメチルフェニルカルビノール、フェニルグリコール、バニリン、エチルバニリン、ベンゾフェノン、メチルナフチルケトン、クマリン、ムスクキシレン、ムスクケトン、ムスクアンブレット、ムスクチベテン、ムスクモスケン（ジボダン社製）、セレストリド（ＩＦＦ社製）、ベルサリド（ジボダン社製）、トナリド（ＰＦＷアロマケミカル社製）、ジメチルハイドロキノン、チモール、トランス−ベンジルイソオイゲノール、β−ナフトールメチルエーテル、安息香酸、桂皮酸、フェニル酢酸、ヒドロ桂皮酸、酢酸イソオイゲノール、桂皮酸シンナミル、サリチル酸フェニルエチル、アニス酸メチル、インドール、スカトール、ローズフェノン、メチルアトラレート、ラズベリーケトン、ヘリオトロピルアセトン、３−メチル−４−イソプロピルフェノール、ｐ−クロロ−ｍ−キシレノールを挙げることができる。これら（ｃ１−１−３）の化合物は２０℃における水への溶解度が０．０２ｇ／１００ｇ以下であり、且つ２０℃における（ａ）成分への溶解度が０．０５ｇ／１００ｇ以上のものである。
【００２８】
本発明では（ｃ１−１）成分としては、特にセドロール、ｌ−メントール、ミリスチルアルコール、パルミチルアルコール、ステアリルアルコール、カンフェン、チモールが好ましい。
【００２９】
なお、本発明の（ｃ１−１）成分からは、後述の（ｃ１−２）成分のような界面活性剤と後述の（ｃ１−３）成分の有機酸又はその塩とが除かれるが、本発明の界面活性剤とはｃ．ｍ．ｃ（臨界ミセル濃度）を有するか、又は界面活性剤便覧（産業図書株、昭和３５年発行）３１９頁に記載の方法で求めたＨＬＢが６以上であるか、もしくはその両方の性質を有する化合物であり、これら性質を持たず、且つ融点が２５℃以上の化合物は（ｃ１−１）成分として取り扱うものとする。
【００３０】
（ｃ１−２）成分は、含水率が５質量％以下において、２５℃、好ましくは３５℃で固体状態である界面活性剤である。本発明で用いる（ｃ１−２）成分としては、前記の吸湿性試験において吸湿度が０〜２、好ましくは０〜１、特に好ましくは０〜０．５の化合物である。
【００３１】
（ｃ１−２）成分としては、炭素数８〜２０のアルキル基を有する非イオン界面活性剤及び炭素数１４〜２０のアルキル基を有する陰イオン界面活性剤が好ましく、アルキル基は飽和が好ましく、特に下記（ｃ１−２−１）成分〜（ｃ１−２−３）成分の界面活性剤を挙げることができる。
（ｃ１−２−１）成分：炭素数１４〜２０のアルキル基と、硫酸エステル基及び／又はスルホン酸基とを有する陰イオン界面活性剤
（ｃ１−２−２）成分：炭素数８〜２０の脂肪族飽和アルコールにアルキレンオキサイド、好ましくはエチレンオキサイド（以下、ＥＯと表記する）を２０〜１５０モル付加させたポリオキシアルキレンアルキル（又はアルケニル）エーテル（但し、炭素数が１４未満の場合はアルキレンオキサイドは２０モル以上付加している）
（ｃ１−２−３）成分：炭素数１４〜１８の飽和脂肪酸塩
【００３２】
（ｃ１−２−１）成分としては、炭素数１４〜２０のアルキル硫酸エステル塩、炭素数１４〜２０のアルキル基を有しアルキレンオキサイドの平均付加モル数が１〜６（好ましくは１〜３）のポリオキシアルキレン（好ましくはエチレン）アルキルエーテル硫酸エステル塩、炭素数１４〜２０のα−オレフィンスルホン酸塩、炭素数１４〜２０のα−スルホ脂肪酸低級アルキル（炭素数１〜３）エステル塩、アルキル基の炭素数が１５〜１９のアルキルベンゼンスルホン酸塩から選ばれる１種以上が好適であり、特にアルキル硫酸エステル塩がアレルゲン除去効果の点から最も好ましい。塩としてはナトリウム塩又はカリウム塩が良好である。
【００３３】
（ｃ１−２−２）の化合物としては下記一般式（Ｉ）の化合物が好ましい。
Ｒ1−Ｏ−(Ｒ2Ｏ)a−Ｈ                  （Ｉ）
〔式中、Ｒ1は、炭素数８〜１８、好ましくは１０〜１８、特に好ましくは１４〜１８のアルキル基又はアルケニル基であり、Ｒ2は炭素数２又は３のアルキレン基であり、好ましくはエチレン基である。ａは平均付加モル数として２０〜１５０、好ましくは３０〜１５０、特に好ましくは３０〜１００の数を示す。〕。
【００３４】
一般式（Ｉ）の化合物において、特に好ましい化合物として下記一般式（Ｉ−１）の化合物又は一般式（Ｉ−２）の化合物を挙げることができる。
Ｒ3−Ｏ(ＥＯ)b−Ｈ              （Ｉ−１）
〔式中、Ｒ3は炭素数１４〜１８の一級の直鎖アルキル基、分岐鎖アルキル基又は二級のアルキル基である。ＥＯはエチレンオキサイドであり、ｂは平均付加モル数として２０〜１５０、好ましくは３０〜１５０、特に好ましくは３０〜１００である。〕
Ｒ4−Ｏ[(ＥＯ)c／(ＰＯ)d]−Ｈ    （Ｉ−２）
〔式中、Ｒ4は炭素数１４〜１８の一級のアルキル基である。ＥＯはエチレンオキサイド、ＰＯはプロピレンオキサイドを示す。ｃは平均付加モル数２０〜１５０、ｄは平均付加モル数１〜６０である。ＥＯとＰＯはランダム付加又はＥＯを付加した後、ＰＯを付加してもよく、またその逆のようなブロック付加体でもよい。〕。
【００３５】
（ｃ１−２−３）の化合物としては、ミリスチン酸、パルミチン酸、及びステアリン酸のナトリウム塩及び／又はカリウム塩が好ましい。
【００３６】
なお、本発明では（ｃ１−２）成分は、水分５質量％以下の状態で、２５℃において固体状態であることを規定しているが、（ｃ１−２）成分中の水分が５質量％を超える場合には、エタノール又はイソプロパノールを加え、エバポレーターにより減圧下共沸脱水を行い、（ｃ１−２）成分中の水分を５質量％以下にした後、そのものを直径７ｃｍ、深さ１．５ｃｍの円柱状のガラス製シャーレに１ｇ入れ、２５℃、好ましくは３５℃の恒温室に２４時間放置した後、目視で界面活性剤の状態を観察することで確認できる。又は、ＤＳＣ（示差走査熱量）測定において、２５℃以上、好ましくは３５℃以上の温度で、融解による熱量の吸熱ピークが存在することでも確認できる。また、水分は「化学大辞典」共立出版社
２−５７３頁に記載のカールフィッシャー法で求めることができる。
【００３７】
なお、（ｃ１−２−２）成分は、アルキレンオキサイドの付加モル数が高いものを用いることが好ましいが、（ｃ１−２）成分の中では、（ｃ１−２−１）成分から選ばれるものが好ましく、特に、最も好ましいものは、炭素数１４〜２０の直鎖のアルキル基を有するアルキル硫酸エステル塩であり、対イオンとしてはナトリウム塩の化合物である。
【００３８】
本発明の（ｃ１−３）成分として特に好ましい化合物はクエン酸、コハク酸、酒石酸、リンゴ酸、フマル酸、マロン酸、マレイン酸、アジピン酸、フタル酸、テレフタル酸及びこれらの塩（好ましくはナトリウム塩及び／又はカリウム塩）であり、特にフタル酸及びその塩がアレルゲン除去効果の点から最も好ましい。
【００３９】
（ｃ２）成分は、無機性陽イオンと無機性陰イオンの組合せであって、これらイオンを含有する水溶液を乾燥してできる無機化合物が潮解性を示さないものである無機陽イオンと無機陰イオンの組合せである。（ｃ２）成分において、本発明のアレルゲン除去剤を乾燥して析出する固体は、これら無機陽イオンと無機陰イオンを物質源（又は由来）として生成するものであり、水和物として析出する場合も考えられる。また多様な種類の無機イオンを混合する場合、その生成される固体は定かではないが、本発明では固体が析出するための無機イオン組合せであればよい。
【００４０】
（ｃ２）成分をこのように規定する理由は、本発明の特徴が、乾燥後に固体を生成するという点にあるためであり、例えば、配合した化合物が複数の場合、更にはｐＨ調整剤としてのアルカリ剤・酸剤の添加や、イオン解離性の界面活性剤や有機酸塩を併用するような場合、固体として析出してくる物質が、当初配合した物質と異なってくる可能性があるからである。しかしながら、本発明は、潮解性のない電解質の無機固体［（ｃ２’）成分とする］を直接配合することを否定するものではない。
【００４１】
（ｃ２）成分は、無機性陽イオンがアルカリ金属又はアルカリ土類金属であり、無機性陰イオンが、硫酸イオン、炭酸イオン、リン酸イオンから選ばれる１種以上であることが好ましく、特には（ｃ２）成分は、カリウムイオン、ナトリウムイオン及びマグネシウムイオンから選ばれる陽イオン（ｃ２−ｃ）とから選ばれる陰イオン（ｃ２−ａ）の組合せが好ましい。ただし、カリウムイオンと炭酸イオンのみの組み合わせは固体化が困難であり、これら以外のイオンを適宜併用する必要がある。すなわち、本発明では、カリウムイオンと炭酸イオンのみの組み合わせは、排除される。
【００４２】
このため、本発明では、カリウムイオン、ナトリウムイオン及びマグネシウムイオンから選ばれる陽イオンと、硫酸イオン及び炭酸イオンから選ばれる陰イオンとから構成され、１質量％水溶液の２５℃におけるｐＨが３〜９である無機塩を配合することが好ましい。また、これら無機塩の中でも２５℃における水への溶解度が１０〜５０質量％、好ましくは１５〜４０質量％の化合物が特に好ましい。この無機塩の溶解度は、飽和水溶液１００ｇ中に含まれる無機化合物の質量を質量％で表した値であり、化学便覧基礎編II  改定３版  日本化学会編  丸善（株）  II-１６６〜II-１７６に記載されているものである。さらに、本発明で好ましい無機塩は、潮解性を示さないものであり、従って前記の吸湿性試験により測定される吸湿度が０〜２、更に０〜１、特に０〜０．５の化合物である。
【００４３】
より具体的に好ましい無機塩［すなわち（ｃ２’）成分］としては、硫酸ナトリウム、硫酸マグネシウム、炭酸ナトリウム、炭酸水素ナトリウム、を挙げることができ、特に硫酸ナトリウム、硫酸マグネシウム、炭酸ナトリウムから選ばれる１種以上が好適である。
【００４４】
本発明の（ｃ）成分は（ｃ１）成分と（ｃ２）成分［或いは（ｃ２’）成分］の混合物であってもよく、（ｃ１−２）成分がイオン性の界面活性剤の場合や（ｃ１−３）成分が有機酸塩の場合は、その対イオンについては、（ｃ２）として考慮してもよい。基本的には（ｃ）成分を含有する本発明のアレルゲン除去剤から固体が析出するような組合せであればよい。
【００４５】
なお、本発明の（ｃ）成分のうち、より好ましいものは、（ｃ１−１）成分及び／又は（ｃ２）成分であり、最も好ましいものは、（ｃ２−ｃ）成分と（ｃ２−ａ）成分の組合せである。しかしながら、（ｃ１）で示される有機化合物、特に（ｃ１−２）などの界面活性剤は、対象表面へ残留することが懸念されるため、その配合量には注意を要する。
【００４６】
＜（ｄ）成分＞
（ｄ）成分は、本発明の効果の持続性に関し重要な成分である。本発明でいう“効果の持続性に優れる”とは、アレルゲン除去処理後から、アレルゲンの再発現までの抑制効果に優れることであり、すなわちアレルゲン除去処理後の、アレルゲンの増大を抑制することを指す。この効果は、（ｄ）成分が処理表面上に残存することで、節足動物に対して忌避効果を示すことによって得られる。従って、持続性に関するアレルゲン種は節足動物に限定されるが、ダニ由来のアレルゲンは住環境において最も代表的なアレルゲンであり、該アレルゲンの増大が抑制されることは極めて重要であり、意味深いことである。（ｄ）成分は環境への影響が無く、（ｃ）成分の固体析出への影響を極力抑制するために少量で効果的な化合物であるジャスモノイド、鎖状セスキテルペンアルコール、及び鎖状ジテルペンアルコールから選ばれる。具体的には、ジャスモノイドとしては、ジャスモン、ジヒドロジャスモン、ジャスモン酸低級アルキル（アルキル基の炭素数１〜５）エステル、ジヒドロジャスモン酸アルキル（アルキル基の炭素数１〜５）エステルが好ましい。また、鎖状セスキテルペンアルコールとしてはファルネソール及びネロリドールが好適である。また、鎖状ジテルペンアルコールとしてはフィトール、イソフィトール、ゲラニルゲラニオール、ゲラニルリナロールが良好である。
【００４７】
本発明で最も好ましい（ｄ）成分としては、ジャスモン、ジヒドロジャスモン、ジャスモン酸メチル、ジャスモン酸エチル、ジヒドロジャスモン酸メチル、ジヒドロジャスモン酸エチル、ファルネソール、ネロリドール、フィトールである。
【００４８】
（ｄ）成分は後述する（ｅ）成分と同じく、（ｃ）成分の析出を抑制する効果があり、その配合量には注意を要する。
【００４９】
＜その他の成分＞
その他の成分としては、（ｃ１−１）成分と（ｄ）以外の香料、ｐＨ調整剤としての酸やアルカリ剤、特開平４−９１１９７号公報記載のグリコール系溶剤、特開平７−２２４２９９号公報記載のフェニルエーテル系溶剤、及び特開平７−３２８９号公報記載のグリセリルエーテル系溶剤記載等の（ａ）成分以外の水溶性有機溶剤、（ｃ１−２）成分以外の界面活性剤、アレルゲン除去剤自体を着色するための色素、アレルゲンを被覆することでその発現を抑制するポリマー、アレルゲンを変質されるアレルゲン変性剤、殺菌・殺ダニ剤、アレルゲン除去剤自体に菌やカビの発生を抑制するための防菌・防カビ剤、メタノール、並びにエアゾールの場合はプロペラント等を挙げることができるが、（ｃ）成分からの固体生成を抑制するような物質の配合と配合量は十分検討されるべきであり、また剤自体がアレルゲン症状を示すことが懸念される物質の配合は控えるべきである。なお、ｐＨを調整する上で、アルカリ金属水酸化物や、硫酸などを含有してもよいが、そのイオンは（ｃ）成分として算入される。
【００５０】
本発明において、（ａ）成分、（ｃ１）成分、（ｄ）成分、メタノール、及びエアゾールの有機性のプロペラントなどの有機化合物以外の有機化合物を以下（ｅ）成分と称する。（ｅ）成分のうち、（ｃ１−１）成分と（ｄ）成分以外の香料成分や天然精油〔以下（ｅ１）成分という〕を配合することが好ましい。
【００５１】
（ｅ１）成分としては、「香料の化学」（赤星亮一著、日本化学会編  産業化学シリーズ  昭和５８年９月１６日発行）や「合成香料 化学と商品知識」（印藤 元一著、化学工業日報社、１９９６年３月６日発行）や「香料と調香の実際知識」（中島基貴著、産業図書株式会社、１９９５年６月２１日発行）に記載のものを用いることができる。これらの中でも特に、（ｅ11）炭素数７〜１５の芳香族アルコール、（ｅ12）炭素数８〜１７の炭化水素基を有するギ酸エステル又は酢酸エステル、（ｅ13）炭素数１０〜１５の炭化水素及び（ｅ14）炭素数７〜１５の芳香族アルデヒドの群から選ばれる香料が好ましい。具体的に好ましくは、カンフェン、セドロール、ヒノキチオール、カリオフィレンオキサイド、ブッコキシム（Ｄｒａｇｏｃａ社製）、ジメチルフェニルカルビノール、フェニルグリコール、クマリン、ムスクキシレン、ムスクケトン、ムスクアンブレット、ムスクチベテン、ムスクモスケン（ジボダン社製）、セレストリド（ＩＦＦ社製）、ベルサリド、トナリド、ジメチルハイドロキノン、チモール、トランス−ベンジルイソオイゲノール、β−ナフトールメチルエーテル、バニトロープ、安息香酸、桂皮酸、フェニル酢酸、ヒドロ桂皮酸、酢酸イソオイゲノール、桂皮酸シンナミル、サリチル酸フェニルエチル、アニス酸メチル、インドール、スカトール、ローズフェノン、メチルアトラレート、ラズベリーケトン、ヘリオトロピルアセトン、３−メチル−４−イソプロピルフェノール、から選ばれる１種以上である。また、本発明ではこのような香料成分を単独で用いることができるが、２種以上の香料組成物として用いることもできる。また香料として植物から抽出した精油を用いることができる。精油としては、具体的に好ましくは、イランイラン油、オレンジ油、クローブ油、サンダルウッド油、スペアミント油、セダーウッド油、タイム油、ティーツリー油、ハッカ油、パルマローザ油、ヒノキ油、ヒバ油、ペパーミント油、ペニーロイヤル油、ユーカリ油、ラベンダー油、レモングラス油、レモン油、ローズマリー油、樟脳油、アジョワン油から選ばれる１種以上が好ましく使用される。
【００５２】
更に（ｅ２）成分として、（ｃ１−２）成分以外の界面活性剤を香料等の可溶化や貯蔵安定性、またその他の目的のために配合してもよい。（ｅ２）成分は非イオン界面活性剤、及び陽イオン界面活性剤が好適である。
【００５３】
非イオン界面活性剤としては下記一般式（１）及び／又は一般式（２）の化合物を挙げることができる。
【００５４】
Ｒ11−Ｏ−(Ｒ12Ｏ)a−Ｈ                  （１）
〔式中、Ｒ11は、炭素数８〜１８、好ましくは１０〜１６のアルキル基又はアルケニル基であり、Ｒ12は炭素数２又は３のアルキレン基であり、好ましくはエチレン基である。ａは平均付加モル数として３以上２０未満、好ましくは４以上１５以下、特に好ましくは５以上１０以下の数を示す。〕
Ｒ13−(ＯＲ14)bＧc                    （２）
〔式中、Ｒ13は直鎖の炭素数８〜１６、好ましくは１０〜１６、特に好ましくは１０〜１４のアルキル基、Ｒ14は炭素数２〜４のアルキレン基、好ましくはエチレン基又はプロピレン基、特にエチレン基であり、Ｇは還元糖に由来する残基、ｂは平均値０〜６の数、ｃは平均値１〜１０、好ましくは１〜５、特に好ましくは１〜２の数を示す。〕。
【００５５】
陽イオン界面活性剤としては、下記一般式（３）〜（５）の化合物を用いることもアレルゲンの除去効果の点から好適である。
【００５６】
【化１】
0003892354.tif 000002
【００５７】
〔式中、Ｒ17及びＲ22は、それぞれ炭素数５〜１６、好ましくは６〜１４のアルキル基又はアルケニル基、好ましくはアルキル基であり、Ｒ19及びＲ20は、それぞれ炭素数１〜３のアルキル基又はヒドロキシアルキル基である。Ｔは−ＣＯＯ−、ＯＣＯ−、−ＣＯＮＨ−、−ＮＨＣＯ−、
【００５８】
【化２】
0003892354.tif 000003
【００５９】
である。ｇは０又は１の数である。Ｒ18は、炭素数１〜６のアルキレン基、又は−(Ｏ−Ｒ27)n−である。ここでＲ27はエチレン基もしくはプロピレン基、好ましくはエチレン基でありであり、ｎは平均値として１〜１０、好ましくは１〜５の数である。Ｒ21は炭素数１〜５、好ましくは２又は３のアルキレン基である。また、Ｒ23、Ｒ24、Ｒ25、Ｒ26はこれらの内２つ以上（好ましくは２つ）は炭素数８〜１２のアルキル基であり、残りが炭素数１〜３のアルキル基又はヒドロキシアルキル基である。さらにＺ-は陰イオン基、好ましくはハロゲンイオン、炭素数１〜３のアルキル硫酸イオンである。〕
【００６０】
（ｅ２）成分の配合量は、（ｃ）成分の固体化を妨げる恐れがあり、また処理表面からのアレルゲンの除去を抑制することが考えられるので、最小限にすべきである。
【００６１】
＜アレルゲン除去剤＞
本発明のアレルゲン除去剤は、（ｃ）成分及び（ｄ）成分やその他の成分を、（ａ）成分及び（ｂ）成分である水及び溶剤に溶解させた溶液、好ましくは水溶液の形態が好ましい。本発明では特に（ｃ）成分が特に重要な成分であり、（ｃ）成分は対象物表面からアレルゲンを収集する機能や剥離する機能を有する固体を生成させる。具体的には、本発明のアレルゲン除去剤を対象物に噴霧処理又は浸漬処理し、液体成分の蒸発により該処理部分が乾燥すると、対象物表面に（ｃ）成分等の固体が析出する。このとき、通常の清掃では除去が難しい微粒子、特に花粉、カビの胞子、ダニ類などの生物及びそれらの死骸や糞等のアレルゲン物質を抱き込みながら（ｃ）成分等の固体が析出する、或いはアレルゲンの被処理物からの剥離を促進する、等の機能が発現するものと考えられる。このような析出固体をアレルゲンと共にタオルなどの布帛で拭き取ったり、掃除機などの清掃道具を用いて除去することにより、アレルゲンを容易に除去することが可能になる。アレルゲン除去剤に含有される各成分は、固体析出を助長する濃度で配合され、固体析出を阻害しない濃度で配合され、且つ対象表面に付着・蓄積し難い量で配合される。従来の技術の項にて説明したように、セルロースパウダー、シリカ、タルク又は粘土物質などの水不溶性物質を用いる方法が知られているが、これら水不溶性物質は、十分な除去効果を期待することができず、基材自体が処理表面に残留しやすい。
【００６２】
本発明において、（ａ）成分の含有量は（ｃ）成分の種類により左右される。例えば（ｃ１−１）成分や（ｃ１−２）成分のうち疎水性の強い化合物を用いる場合は、（ｃ）成分として親水性に優れた化合物を選ぶ場合よりも（ａ）成分の含有量を多く含有する必要がある。（ｃ２）成分の場合、飽和にならない濃度で配合されることが望ましく、その他の成分のイオン強度などの影響も考慮すべきである。また、（ａ）成分は引火点が低く、多量に配合する際は注意を要する。
【００６３】
本発明において、（ａ）成分の含有量は、（ｃ）成分及び（ｄ）成分を組成物中に均一に溶解させる目的及び噴霧や塗布後の乾燥を促進し、且つ（ｃ）成分の対象物表面への析出の促進させる目的で、好ましくはアレルゲン除去剤中１〜７０質量％、より好ましくは３〜６０質量％、最も好ましくは（ｃ）成分が（ｃ１−２）成分、（ｃ１−３）成分、（ｃ２）成分から選ばれる化合物のみの場合は５〜４０質量％であり、（ｃ１−１）成分を含む場合は３０〜６０質量％である。
【００６４】
（ｂ）成分の水は、残部であり、アレルゲン除去剤中に好ましくは３０質量％以上含有される。
【００６５】
また（ｃ）成分の含有量は、アレルゲン除去剤中に、好ましくは０．００５質量％以上、より好ましくは０．０１質量％以上、最も好ましくは０．１質量％以上であり、且つ好ましくは５質量％以下、より好ましくは３質量％以下である。、最も好ましい要件としては、（ｃ１）成分は、処理表面に残留したり、アレルゲンの対象表面からの除去の観点から、その配合量は３質量％以下、好ましくは１質量％以下であり、とりわけ（ｃ１−２）成分に至っては、１質量％以下、好ましくは０．５質量％以下、より好ましくは、０．２質量％以下である。一方、（ｃ２）成分は、５質量％以下、好ましくは３質量％以下で配合することができる。
【００６６】
（ｄ）成分の含有量は、アレルゲン除去剤中に好ましくは０．００１〜５質量％、より好ましくは０．００５〜１質量％、最も好ましくは０．０１〜０．５質量％である。（ｄ）成分の配合は（ｃ）成分の析出を送らせる傾向を示すため、実際は５質量％の配合は過剰であるが、（ｃ２）成分濃度が多く、（ｅ）成分が比較的抑制されている場合に、目標とするアレルゲン除去の持続性の設計事項として、その濃度は決定される。
【００６７】
特に、（ａ）成分、（ｂ）成分、（ｃ）成分及び（ｄ）成分は、アレルゲン除去剤中に、合計で、好ましくは９５〜１００質量％、より好ましくは９７〜１００質量％、最も好ましくは９８〜１００質量％となるように含有されることが望ましい。
【００６８】
（ｃ）成分として（ｃ２）を含有する場合は、無機性陽イオン／無機性陰イオン＝０．３〜３．０（モル比）であることが好ましく、特に０．５〜２．０が好ましい。
【００６９】
特に（ｃ）成分に由来する固体の析出は、前記のように（ｄ）成分や（ｅ）成分等の有機化合物により影響されやすい。本発明において、（ｃ）成分と（ａ）成分以外の有機化合物の関係は（ｃ）／[（ａ）成分以外の全有機化合物]が質量比で０．１５以上、更に０．２以上であり、上限は１未満が好ましい。
【００７０】
また（ｅ）成分は、アレルゲン除去剤中１質量％未満が好ましく、特には０．００１〜０．５質量％が好ましい。
【００７１】
（ｅ１）成分を配合する場合は、０．００１〜０．５質量％、０．００１〜０．３質量％の濃度範囲で含有することが好ましく、また（ｅ２）成分は、０．３質量％以下であることが好ましく、特には０．２質量％未満が好ましい。
【００７２】
本発明では、アレルゲン除去剤として次の組成Ａもまた開示する。
【００７３】
＜組成Ａ＞
下記（ａ）成分、（ｂ）成分、（ｃ１）成分及び（ｄ）成分を含有し、（ａ）成分、（ｃ１）成分及び（ｄ）成分以外の有機化合物の含有量が１質量％未満であり、且つ（ｃ１）成分／[（ａ）成分以外の全有機化合物]が質量比で０．２以上１未満であるアレルゲン除去剤。
（ａ）成分：水と共沸混合物を形成し、１０１３．２５ｈＰａにおける水との共沸温度が１００℃未満になる有機化合物を１〜７０質量％
（ｂ）成分：水
（ｃ１）成分：下記（ｃ１−１）成分、（ｃ１−２）成分及び（ｃ１−３）成分から選ばれる１種以上の有機化合物を０．０１〜５質量％、好ましくは０．０１〜３質量％、より好ましくは０．０１〜１質量％
（ｃ１−１）成分：融点が２５℃以上の有機化合物〔但し（ｃ１−２）及び（ｃ１−３）を除く〕
（ｃ１−２）成分：含水率５質量％以下において、２５℃で固体状態である界面活性剤
（ｃ１−３）成分：クエン酸、コハク酸、酒石酸、リンゴ酸、フマル酸、マロン酸、マレイン酸、アジピン酸、乳酸、フタル酸、テレフタル酸、アスパラギン酸、アゼライン酸、グルタミン酸、グルタル酸、蓚酸、グリシン及びこれらのアルカリ金属塩もしくはアルカリ土類金属塩
（ｄ）成分：ジャスモノイド、鎖状セスキテルペンアルコール及び鎖状ジテルペンアルコールから選ばれる１種以上の化合物を０．００１〜５質量％
【００７４】
本発明のアレルゲン除去剤において、ｐＨの設定は注意を要する。特に、塩類はｐＨにより平衡状態が変化するので、塩では固体であるが、酸やアルカリでは固化性の低い物質である場合、ｐＨによっては固体が析出しにくくなる恐れがある。従って、本発明ではアレルゲン除去剤の２０℃におけるｐＨを３〜９、好ましくは４〜８に調整することが好適である。ｐＨ調整剤は、（ｃ）成分を構成するものであることが好ましい。ｐＨ調整剤としては、塩酸や硫酸などの無機酸や、クエン酸、コハク酸、リンゴ酸、フマル酸、酒石酸、マロン酸、マレイン酸などの有機酸などの酸剤や、水酸化ナトリウムや水酸化カリウム、など、炭酸ナトリウム、炭酸カリウムなどのアルカリ剤を、単独もしくは複合して用いることが好ましく、特に塩酸、硫酸、クエン酸から選ばれる酸と水酸化ナトリウム、水酸化カリウムから選ばれるアルカリ剤を用いることが好ましい。なお、アルカリ剤として、アンモニアやその誘導体、モノエタノールアミンやジエタノールアミン、トリエタノールアミンなどのアミン化合物は、固体の析出に影響しない程度に配合してもよいが、液性が強いので本発明では他のアルカリ剤を用いることが好ましい。
【００７５】
本発明のアレルゲン除去剤は対象物への処理のし易さ及びアレルゲン除去効果を向上させる目的から、アレルゲン除去剤の２０℃における粘度を１５ｍＰａ・ｓ以下、好ましくは１〜１０ｍＰａ・ｓに調整することが好適である。このような粘度に調整することで対象物を均一に処理することができ、さらに乾燥や（ｂ）成分の析出を促進させることができる。本発明でいう粘度は以下のようにして測定する。まずＴＯＫＩＭＥＣ.ＩＮＣ製Ｂ型粘度計モデルＢＭに、ローター番号Ｎｏ.１のローターを備え付けたものを準備する。試料をトールビーカーに充填し２０℃の恒温槽内にて２０℃に調製する。恒温に調製された試料を粘度計にセットする。ローターの回転数を６０ｒ／ｍに設定し、回転を始めてから６０秒後の粘度を本発明の粘度とする。
【００７６】
本発明のアレルゲン除去剤は、被処理物に噴霧又は処理により適用され、該処理物の乾燥により固体を析出させる。固体は（ｃ）成分から生成されるが、（ｃ）成分が他種類である場合やその他の成分の影響を受ける場合、析出する固体も多様なものとなる可能性がある。また結晶水を有するものも考えられる。析出する固体は、清掃による除去が容易な形態として析出することが好ましく、固体１つの最大の大きさが１〜１００μｍの物質として析出するものが好ましく用いられるが、それ以下の大きさであっても繰り返し適用することで大きな固体に成長させてもよい。また、析出する固体は、被処理物から清掃により容易に除去できることが好ましいため、潮解性や粘着性のないものが好ましい。なお、析出する固体の形状は特に問わない。例えば球状体、多面体、板状体、針状体等を挙げることができる。
【００７７】
＜アレルゲン除去方法＞
本発明は、乾燥後に固体を生成する溶液をアレルゲンが付着した被処理物に接触させ、析出した固体と共にアレルゲンを被処理物から除去することによりアレルゲンを除去するという、全く新しい考え方のアレルゲン除去方法を提供する。析出した固体は清掃することで最終的に除去されるが、清掃方法としては、掃除機などで吸引する方法、繊維製品などで拭き取る方法、粘着性フィルムで吸着する方法、静電気により吸着させる方法及びホウキなどで掃き取る方法などが挙げられる。本発明では掃除機により析出した固体とアレルゲンを除去する方法と、繊維製品で拭き取ることにより繊維内に析出した固体とアレルゲンを閉じ込める方法が最も好ましい。アレルゲン除去剤を塗布又は噴霧してから清掃するまでの時間は、十分に効果を発揮するために、１０秒以上、６０分以下が好ましい。
【００７８】
アレルゲン除去剤を噴霧する場合、噴霧器としては、トリガー式噴霧器を用いることが好ましい。
【００７９】
トリガー式噴霧器を用いる場合、該噴霧器は１回のストロークで０．１ｇ〜２．０ｇ、好ましくは０．２〜１．５ｇ、さらに好ましくは０．３ｇ〜１．０ｇ噴出するものが良好である。本発明で使用するトリガー式スプレー容器として特に好ましいものは、実開平４−３７５５４号公報に開示されているような蓄圧式トリガーが、噴霧の均一性の点で特に良好である。
【００８０】
エアゾール式噴霧器を用いる場合、該噴霧器は１秒あたり好ましくは０．５〜５．０ｇ、さらに好ましくは１秒あたり１．０〜３．０ｇを噴霧するものが良好である。エアゾールの噴射剤（プロペラント）としては、液化プロパンガス、液化ブタンガス、ジメチルエーテル、窒素、二酸化炭素、空気などを用いることが出来るが、噴射特性の点からは、液化プロパンガス、液化ブタンガスが好ましく、安全性の点からは窒素、二酸化炭素、空気が好ましい。本発明では、エアゾールのプロペラントとして用いる有機化合物は、アレルゲン除去剤の構成成分には算入しない。
【００８１】
噴霧特性としては、特に地面に垂直に置いた対象物に１５ｃｍ離れた場所からスプレーしたときの液のかかる面積が１００〜８００ｃｍ2、好ましくは１５０〜６００ｃｍ2になるトリガー式噴霧器が好ましい。また、本発明では（ｃ）成分を対象物１０００ｃｍ2当たり１〜１０ｍｇ、好ましくは２〜５ｍｇになるように均一に対象物にスプレーし、乾燥させることで高いアレルゲン除去効果を得ることができる。
【００８２】
スプレー後は自然乾燥させた後、タオル等の布帛や掃除機などの清掃道具により対象物を除去することで、アレルゲンを効率的に除去することが可能となる。
【００８３】
本発明のアレルゲン除去剤の好ましい処方例を以下に示す。
（Ａ）エタノール、１−プロパノール及び２−プロパノールから選ばれる１種以上  ３〜６０質量％
（Ｂ）水  残部
（Ｃ）下記▲１▼〜▲４▼より選ばれる固体源物質  ０．０１〜５質量％、特には０．１〜３質量％（但し、▲１▼又は▲２▼の場合は、除去剤中、１質量％、好ましくは０．５質量％を超えて配合しない）
▲１▼セドロール、ｌ−メントール、ミリスチルアルコール、パルミチルアルコール、ステアリルアルコール、カンフェン、チモール
▲２▼アルキル鎖の炭素数が１４〜２０のアルキル硫酸エステル又はその塩、炭素数１４〜１８の飽和脂肪酸塩（これらの塩はアルカリ金属塩が好ましい。）
▲３▼クエン酸、コハク酸、酒石酸、リンゴ酸、フマル酸、マロン酸、マレイン酸、アジピン酸、フタル酸、テレフタル酸、及びこれらのアルカリ金属塩もしくはアルカリ土類金属塩（好ましくはアルカリ金属塩）
▲４▼カリウムイオン、ナトリウムイオン及びマグネシウムイオンから選ばれる陽イオンと、硫酸イオン及び炭酸イオンから選ばれる陰イオンの組み合わせ（但し、カリウムイオンと炭酸イオンのみの組み合わせは除く）
（Ｄ）ジャスモン、ジヒドロジャスモン、ジャスモン酸メチル、ジヒドロジャスモン酸メチル、ファルネソール、ネロリドール  ０〜１．０質量％
（Ｅ）その他の成分（非イオン界面活性剤、陽イオン界面活性剤、及びその他香料成分）  ０〜２．０質量％
からなる水性組成物、更には、該組成物のうち、（Ｄ）成分及び［（Ｅ）成分として界面活性剤］の合計に対する（Ｃ）成分の割合が（Ｃ）／[（Ｄ）＋（Ｅ）]が質量比０．５〜０．９８である組成物を、非エアゾールタイプの噴霧装置を備えた容器に充填したものであって、対象表面から３０ｃｍ離れた位置から、噴霧動作を１回行ったときに、気温２３〜３２℃、湿度６０％ＲＨ以下の環境下において、３０分以内に固体が析出するものである。
【００８４】
本発明のアレルゲン除去剤の対象表面は、カーペット、畳、布製ソファー、ラグ、フローリング床、その他アレルゲンの除去が望まれる住居内の硬質表面、及びふとん、枕、ベッドパッド等の寝具、ぬいぐるみ、布製クッション等を挙げることができる。
【００８５】
【実施例】
実施例１
表１〜３に示すアレルゲン除去剤を調製した。下記方法により調製した対象物に下記方法で処理した時のアレルゲン除去効果、感触評価及び持続性を測定した。結果を表１〜３に示す。なお、表１〜３中、ｐＨの調整は硫酸及び／又は水酸化ナトリウムを用いて行った。
【００８６】
（１）アレルゲン除去率の測定
３年間家庭で使用された中古カーペット（(株)サンゲツ製カーペット「サンセシール ＣＬ−１」）を１０ｃｍ四方に裁断した。
【００８７】
裁断したカーペットにサンプルを均一に０．３ｇスプレーデバイス（花王（株）製スムーザー（商品名）のトリガーデバイスを用いた。１回のストロークの噴霧量は０．３ｇであり、垂直に置かれた対象面に１５ｃｍ離れた場所からスプレーしたときの液のかかる面積が４２０ｃｍ2であった）し、室温で３０分間乾燥させた後、新品の紙パックを装着した吸引仕事率２５０Ｗの掃除機で１秒間吸引した。この操作を２０回繰り返した。
【００８８】
その後、pH7.4±0.1りん酸バッファー液（KH2PO4、NaCl、Na2HPO4・7H2Oをそれぞれ0.144g/L、9.00g/L、0.795g/Lとなるように蒸留水に溶解したもの、以下ＰＢＳとする）５０ｍＬを用いて紙パックに捕集されたアレルゲンを抽出した（この抽出液を除去アレルゲン抽出液と呼ぶ）。また、カーペットに残留したアレルゲンを、ＰＢＳ ５０ｍＬを用いて抽出した（この抽出液を残留アレルゲン抽出液と呼ぶ）。
【００８９】
各々の抽出液について、サンドイッチＥＬＩＳＡ法を用いてDer f II（コナヒョウヒダニ虫体に含まれるアレルゲン）濃度の定量を行った。サンドイッチＥＬＩＳＡ法は以下のように行った。
１．モノクローナル抗体15E11（生化学工業（株））をＰＢＳで２μg/mlの濃度に希釈しマイクロプレート（住友ベークライトELISA PLATE H TYPE）の各ウェルに50μlずつ分注し、室温で２時間静置する。
２．プレートをＰＢＳで３回洗浄する。
３．１％BSAを含むＰＢＳ（大日本製薬  ブロックエース）を各ウェルに200μlずつ分注し室温で１時間静置し、ブロッキングを行う。
４．プレートをTween20（SIGMA）を0.05質量％含有するＰＢＳ（以下、Ｔ−ＰＢＳとする）で３回洗浄する。
５．スタンダードとしてrDer f II（生化学工業（株））を0.3μg/mlから９管Ｔ−ＰＢＳで２n倍希釈し、各々50μlを各ウェルに分注し、さらに陰性対照としてrDer f IIの替わりにＴ−ＰＢＳを50μl加えたウェルを用意する。測定する試料はＴ−ＰＢＳで適宜希釈してから各ウェルに50μlずつ分注する。室温で２時間静置する。
６．プレートをＴ−ＰＢＳで３回洗浄する。
７．至適濃度のHRP標識13A4（生化学工業（株））を各ウェルに50μl分注し室温で２時間静置する。
８．プレートをＴ−ＰＢＳで３回洗浄する。
９．ペルオキシダーゼ用発色キットＴ（住友ベークライト）を用いて発色を行う。まず発色剤10mLに基質液を0.1mL加えて混和して発色液とする。この発色液を各ウェルに100μlずつ分注し室温で発色させる。 その後停止液を各ウェルに100μlずつ分注して反応を止め、プレートリーダーで450nmにおける吸光度を測定する。
１０．スタンダードの吸光度から得られる検量線を用いて測定する試料のDer f II濃度を算出する。
【００９０】
得られたDer f II濃度について、除去アレルゲン抽出液のDer f II濃度をａ、残留アレルゲン抽出液のDer f II濃度をｂとすると、掃除機吸引によるアレルゲン除去率Ｒは以下の式で定義される。
Ｒ＝ａ／（ａ＋ｂ）×１００      （％）
各サンプルについて上記試験を５回行い、得られた５回分のアレルゲン除去率の平均値を該サンプルのアレルゲン除去率とした。
【００９１】
（２）感触評価方法
(株)サンゲツ製カーペット「サンセシール ＣＬ−１０１」を１０ｃｍ角に切り出した物を試験片として用いた。試験片に対し、０．１ｃｃ／１００ｃｍ2で処方液をスプレーし、充分乾燥させ、このスプレーと乾燥を５０回繰り返したものをサンプルとした。１０名のパネラーにて、何も処理していない試験片を基準とし、下記基準で官能評価を行い、平均値を求めた。
４…基準よりも感触が良好である
３…基準と同等である
２…基準よりもやや感触が劣る
１…基準よりも明らかに感触が劣る
【００９２】
（３）持続性評価方法
３年間家庭で使用された中古カーペット（(株)サンゲツ製カーペット「サンセシール ＣＬ−１０１」）を１０ｃｍ四方に裁断した。
【００９３】
裁断したカーペットの内、隣り合った２枚を一組とし、両方にアレルゲン除去剤を均一に０．３ｇスプレーし〔（１）のアレルゲン除去率の測定と同じトリガー容器を用いた。〕、室温で３０分間乾燥させた後、新品の紙パックを装着した吸引仕事率２５０Ｗの掃除機で１秒間吸引した。
【００９４】
一組のカーペット片の内、一方は掃除機で吸引した直後に上記「（１）アレルゲン除去率の測定」において用いた方法でアレルゲンを定量し「吸引直後アレルゲン量」を得た。もう一方は温度２５℃、湿度８０％ＲＨ環境下で３日間放置した後にアレルゲンを定量し「３日後アレルゲン量」を得た。これらから、「３日後アレルゲン量」／「吸引直後アレルゲン量」の比を求め、この数値で持続性を評価した。この数値が小さいものほど、アレルゲン低減効果の持続性が良好である。
【００９５】
【表１】
0003892354.tif 000004
【００９６】
表１中、エタノールは水との共沸温度７８．２℃、イソプロパノールは共沸温度８０．１℃である。
【００９７】
ミリスチル硫酸エステルナトリウム、パルミチル硫酸エステルナトリウム、ミリスチン酸ナトリウム、ミリスチン酸ナトリウム、パルミチン酸ナトリウム、ポリオキシエチレンラウリルエーテル（ＥＯ平均付加モル数４０）は水分５質量％において、２５℃、更に３５℃ですべて固体状態であるが、ポリオキシエチレンラウリルエーテル（ＥＯ平均付加モル数１０）及びデカン酸は水分５質量％において、２５℃で液体であった。また、（ｃ１−２）成分の吸湿度は、すべて１〜１．５の範囲内である。
【００９８】
表１中、比較品５は水溶液に調製せず、粉末をそのまま用いた場合の効果について調べたものである。処理方法は、比較品５に示す（ｃ１−２）成分を粉砕し、篩により５０〜１２５μｍに分級した粉末を、裁断したカーペットに５ｇ均一にふりかけ、３０分後に掃除機で吸引した以外は上記と同様の方法でアレルゲン除去効果、持続性評価及び感触評価を行った。また、比較例６は水のみで処理した例である。
【００９９】
なお、処理剤を用いずに掃除機で吸引したのみのアレルゲン除去率は２１％、触感評価は３．５であった。
【０１００】
【表２】
0003892354.tif 000005
【０１０１】
表２中、セドロール、カンフェン、ミリスチルアルコール、パルミチルアルコール、チモールの水への溶解度（測定方法は前述の通り）は、すべて０．３ｇ／１００ｇ以下であり、（ａ）成分への溶解度（測定方法は前述の通り）は、すべて５ｇ／１００ｇ以上であり、吸湿度は、すべて１〜１．５の範囲内である。
【０１０２】
【表３】
0003892354.tif 000006
【０１０３】
実施例２
表４に示す配合例２−１〜２−８のアレルゲン除去剤を調製し、実施例１と同様の方法でアレルゲン除去効果、持続性及び感触を評価した。結果を表４に示す。なお、表４中、ｐＨの調整は硫酸及び／又は水酸化ナトリウムを用いて行う。
【０１０４】
【表４】
0003892354.tif 000007
【０１０５】
実施例３
表５に示す配合例３−１〜３−７のアレルゲン除去剤を調製し、アレルゲン除去効果、持続性及び感触を調べると、何れも優れた効果が得られる。なお、表５中、ｐＨの調整は硫酸及び／又は水酸化ナトリウムを用いて行う。
【０１０６】
【表５】
0003892354.tif 000008